(57)【特許請求の範囲】
【請求項１】
環部を備える頸を有する容器を片持梁状に突出した位置に支持する支持装置であって、
互いに蝶着された第一及び第二の翼片（２、３）を有する弾性的に閉鎖可能な締め具（１）であって、上記第一及び第二の翼片が第一及び第二の顎（６、７）を形成する端部を備える締め具と、
頸の一部用のハウジングを形成する横向きの開口（１４）と、容器の環部用の支持部を有する合成的な支持要素（１２）であって、上記締め具の下方で上記締め具から離間されて延びる支持要素とを具備し、
上記第一の顎（６）は、ほぼ鉛直であって上記支持要素（１２）の開口（１４）の鉛直な対称平面に対して垂直な第一の基準面（１５）と、ほぼ鉛直であって上記第一の基準面に対して垂直な第二の基準面（１６）とを有し、上記第二の顎（７）は、上記第一の基準面及び第二の基準面と向かい合ってこれら第一の基準面及び第二の基準面に対して上記容器の頸を押し付ける手段を形成する自由端（１７）を有するように形成される支持装置。
【発明の詳細な説明】
【０００１】
本発明は環部を含む頸を有する容器を片持梁状に突出した位置で支持する装置に関する。該装置は特に容器を充填する設備に用いるのに適している。
【０００２】
一般に、容器を片持梁状に突出した位置に支持する装置は、相互に蝶着されかつ閉じた位置に向って戻りばねにより付勢される２つの顎を有する弾性的に閉鎖可能な締め具を具備している。この顎の一方は前記装置を回転充填プラットフォームのような設備に固定できるようにする手段を有している。
【０００３】
上記の型のプラットフォームにおいて、支持装置の締め具は容器の頸を保持し容器を充填口の真下に吊り下げるようにする。
【０００４】
プラットフォームが回転している間、容器は遠心力の作用のもとに傾斜するようになる。こうして充填口の真下の容器の頸によって形成された突出する断面は楕円形でありかつ円形である頸の実際の断面より小さい。あいにくと、最大の充填流量及びまた充填物質の噴流の横断方向の寸法は頸の実際の断面に対して決定される。したがって充填物質はプラットフォームが回転している間に容器の外に流れる危険が存在する。
【０００５】
この欠点を解消するため、充填流量を減少させそれにより充填噴流の大きさを減少する提案がなされている。しかしこれは生産性を減少させる。もう一つの方法は高い剛性の戻りばねを用い頸に容器が傾斜しないようにするに十分な締めつけ力を加えることである。したがって容器を締め具の所定位置に置きまた容器をそこから取外すのがより困難となる。これは特に充填が重量によって行われまた支持装置が重量センサーと関連している設備では厄介なものとなる。容器が所定位置に置かれまた取外される間締め具の顎を離間させるよう加えられた力は重量センサーに機械的な力を生じさせそのためこのセンサーを損傷しその精度を減じる危険を生じることになる。
【０００６】
本発明の目的は容器を片持梁状に突出した位置に支持し、容器が遠心力のもとに傾斜する度合を制限し、容器を所定位置に置きまたそこから容器を取外すのを容易にする、装置を提供することである。
【０００７】
この目的を達成するため、本発明は環部を含む頸を有する容器を片持梁状に突出した位置に支持する支持装置を提供し、該支持装置は、第１及び第２の顎を形成する端部を備えた第１及び第２の蝶着された翼片を含む弾性的に閉鎖可能な締め具と、頸の一部のための覆い部と容器の環部のための支持部とを形成する横方向の開口を有する剛性の支持要素とを具備し、該支持要素が締め具の下側に延び締め具から離間して位置している。
【０００８】
したがって、容器は支持要素の上に位置しまた支持要素の上に延びる締め具によって支持要素上の所定位置に保持される。支持要素と締め具との間の間隙は、支持要素によって与えられた推力と関連する限られた閉鎖力が容器の傾斜する危険を減少するのに十分であることを保証するに十分な頸を保持するための比較的大きな高さを有することができるようにする。
【０００９】
有利には、第１の翼片に支持装置を１つの設備に固定する手段を設けるため、第１の顎は実質的に垂直で支持要素の開口の対称の垂直平面に実質的に直角な少なくとも１つの基準面を有している。この基準面は容器を垂直位置に保持するのに寄与する。さらに、この基準面は容器を設備に正確に位置させる固定した基準を構成する。
【００１０】
この場合、第１の顎が、実質的に垂直で第１の基準面とある角度を形成し頸を位置させるためのＶ字形を構成する第２の基準面を有するのが好ましく、第２の顎は締め具が閉じられた時に延びる自由端を有するような形状とされそれにより位置決め用のＶ形状部に対面し容器の頸を位置決めＶ形状部に押しつける手段を形成するようにする。これはさらに容器を垂直位置に保持し容器を正確に位置決めするのを改善する。
【００１１】
本発明の他の特徴と利点は本発明の特定の限定されない実施態様の以下の記載を読むことにより明らかとなるであろう。
【００１２】
添付図面が参照される。
以下に記載される支持装置は、それぞれが円筒形の頸１９と頸１９の周りに延びる環部２０とを有する容器１８を片持梁状に突出する位置に支持するようになっている。
【００１３】
本発明の支持装置は全体が１で示され第１の翼片２と第２の翼片３とを有する締め具を具備している。第２の翼片３は翼片３に対して横方向に延びかつ翼片２の蝶番軸５の周りに回動するよう取付けられた一端を有するリンクアーム４を具備している。
【００１４】
翼片２と３は各顎６と７を形成する対面端部を有している。顎６と７から離れたその端部に、翼片２と３は間にばね１０が延び顎６と７を相互に向って動かすような力を加える端部８と９を有している。顎７とリンクアーム４との間で翼片３に固定された調節可能な当接フィンガー１１が翼片２に当接し締め具の閉鎖を制限する自由端を有している。
【００１５】
支持装置はまた全体が１２で示され締め具１の下側に延び締め具から離間されている剛性のプレートによって構成された支持要素を有している。支持要素１２はスプーサ１３を介して翼片２に取付けられている。切込み１４が顎６と７によって区画形成された開口と整合して支持要素１２を形成するプレートに形成される。切込み１４の形状は頸１９の形状に一致し、この場合切込みは半円形であり、環部２０の直径と頸１９の直径との間の直径を有している。
【００１６】
顎６は垂直で支持要素１２の切込み１４の対称の垂直平面Ｐに直角な第１の基準面１５を有している（図３参照）。顎６はまた、垂直で第１の基準面１５とで９０°の角度を形成し位置決め用Ｖ字形部を構成する第２の基準面１６を有している。
【００１７】
顎７は、顎６と７が閉じられた時基準面１５と１６によって区画形状された位置決め用Ｖ字形部に実質的に対面して延びる当接面１７を有している。
【００１８】
使用時、締め具１は例えば回転する充填プラットフォームに固定される。締め具の翼片２はねじ２２によって直立柱２１に固定される。締め具は好ましくは、基準面１５がプラットフォームの回転軸線を通過する半径に直角に延びるようにしてプラットフォームに取付けられる。
【００１９】
容器が本発明の支持装置によって垂直位置に吊り下げられるよう保持された時、環部の上方に延びる頸１９の部分は顎６と７の間に受入れられる。
【００２０】
顎７の当接面１７が、頸１９を位置決めＶ形部を形成する基準面１５と１６に押しつける力を頸１９に加える。環部の下側に延びる頸１９の部分は次に切込み１４に受入れられ、また環部は支持要素１２の頂面に載る。
【００２１】
当然に、本発明は上記の実施態様に限定されず変更を請求項によって規定される本発明の範囲を超えることなく実施態様に加えることができる。
【００２２】
特に、基準面の間に形成される角度は９０°以外とすることができ、又は締め具は基準面を有せず又は１つの基準面のみを有することができる。
【００２３】
さらに、支持装置はまた多角形状の又は他の断面の頸を有する容器を支持するように構成することもできる。
【００２４】
さらにまた、支持要素１２は翼片２と一体に形成することができる。
【００２５】
締め具はプラットフォームに固定された一方の翼片とこれに蝶着された可動翼片とを有するものとして示されているが、締め具は２つの可動翼片を有するようにしてプラットフォームに固定することができる。
【図面の簡単な説明】
【図１】片持梁状に突出する位置に支持するための本発明の支持装置の斜面図である。
【図２】容器がその中に保持されている支持装置の平面図である。
【図３】支持装置の下側から見た図である。
【図４】設備上の所定位置にあり容器を支持している本発明の支持装置の正面図である。
【図１】
0003561236.tif 000002
【図２】
0003561236.tif 000003
【図３】
0003561236.tif 000004
【図４】
0003561236.tif 000005